(57)【要約】【課題】単純な機構でありながら、信頼性に優れた引紐式の携帯発電装置を提供する。【解決手段】引紐３１を引くことにより発生した回転力を、発電機構部１に伝達するためのクラッチ手段４３を備え、クラッチ手段４３は、片歯ギア４３ａと回転部材４３ｂとを備え、片歯ギア４３ａは、外周に、周方向の一方向側が急斜面４３ａ１とされ、逆方向側が緩斜面４３ａ２とされた歯が形成されたものであり、回転部材４３ｂは、可動爪４３ｃを備え、この可動爪４３ｃは、ばねの付勢により、先端部４３ｃ２が片歯ギア４３ａの外周に接触するものであって、上記片歯ギア４３ａの急斜面４３ａ１に、上記可動爪４３ｃの先端部４３ｃ２が当接した際にのみ、被伝達手段４１から回転部材４３ｂへの回転力の伝達がなされるものである。【選択図】図１
0003118610.tif 000002
【実用新案登録請求の範囲】
【請求項１】
発電機構部（１）と駆動ユニット（２）とを備え、
発電機構部（１）は、回転運動の入力により、電気エネルギーを出力できるものであり、
駆動ユニット（２）は、駆動部（３）と従動部（４）とを備え、
駆動部（３）は、
引紐（３１）と、
引紐（３１）を巻き付けることのできるドラム部（３２）と、
ドラム部（３２）を、引紐（３１）を巻き付ける方向へと付勢する付勢手段（３３）と、
引紐（３１）を引くことにより、ドラム部（３２）に発生した回転力を従動部（４）に伝達するための伝達手段（３４）とを備え、
従動部（４）は、
上記伝達手段（３４）による回転力を受けるための被伝達手段（４１）と、
発電機構部（１）に接続された出力軸（４２）と、
被伝達手段（４１）と出力軸（４２）との間で、一方向の回転力の伝達がなされ、逆方向の回転力の伝達がなされない、クラッチ手段（４３）とを備え、
クラッチ手段（４３）は、片歯ギア（４３ａ）と回転部材（４３ｂ）とを備え、
片歯ギア（４３ａ）は、外周に、周方向の一方向側が急斜面（４３ａ１）とされ、逆方向側が緩斜面（４３ａ２）とされた歯が形成されたものであり、
回転部材（４３ｂ）は、可動爪（４３ｃ）を備え、
この可動爪（４３ｃ）は、回転部材（４３ｂ）に設けられた支持軸（４３ｃ１）を中心として回動可能とされたものであり、ばねの付勢により、先端部（４３ｃ２）が片歯ギア（４３ａ）の外周に接触するものであって、
上記片歯ギア（４３ａ）の急斜面（４３ａ１）に、上記可動爪（４３ｃ）の先端部（４３ｃ２）が当接した際にのみ、被伝達手段（４１）から回転部材（４３ｂ）への回転力の伝達がなされるものであり、
被伝達手段（４１）は、片歯ギア（４３ａ）あるいは回転部材（４３ｂ）のいずれか一方と共に回動し、
出力軸（４２）は、片歯ギア（４３ａ）あるいは回転部材（４３ｂ）のいずれか他方と共に回動するものであることを特徴とする、引紐式の携帯発電装置。
【請求項２】
上記の従動部（４）にフライホイールが設けられたことを特徴とする、請求項１に記載の引紐式の携帯発電装置。
【考案の詳細な説明】
【技術分野】
【０００１】
本願考案は、引紐を引くことにより発電できる、引紐式の携帯発電装置に関するものである。
【背景技術】
【０００２】
【特許文献１】特開２００１−１３６７０７号公報
【０００３】
従来から、引紐を引くことにより発電できる、引紐式の携帯発電装置１００が存在している。特許文献１に記載の発明はその一例である。
【０００４】
この携帯発電装置１００は、図３に示すように、ドラム１０１の周囲に巻かれた紐１０２を引張ることにより、ドラム１０１とドーボギア１０３を回転させることができ、ドーボギア１０３から発電機構部１０４に回転力を伝達して発電できるものである。
【考案の開示】
【考案が解決しようとする課題】
【０００５】
ここで、ドラム１０１から一度引き出された紐１０２を再び巻き取るために、ドラム１０１にうずまきばね１０５が設けられており、このうずまきばね１０５の付勢によって、ドラム１０１を逆転させることができるものとされている。
【０００６】
ここで、ドーボギア１０３は、上記のようにドラム１０１が逆転する際に、発電機構部１０４がこれにつられて逆転しないように設けられている。このドーボギア１０３はリング状のものとされており、内周面に周方向の一方側と他方側とで傾斜が異なる内歯１０３ａが設けられている。そして、ドラム１０１の外周部分には、上記内歯１０３ａと噛み合うことのできる可動爪１０６が設けられており、ドーボギア１０３に対し、ドラム１０１の一方向の回転が伝達され、逆方向の回転が伝達されないようにされている。
【０００７】
しかしながら、上記の可動爪１０６は、ドラム１０１の回転によって生じる遠心力により移動がなされ、ドーボギア１０３の内歯１０３ａと噛み合うものであるから、可動爪１０６が作動しない場合もあって、信頼性に欠けるものであった。
【０００８】
本願考案はこのことに鑑み、単純な機構でありながら、信頼性に優れた引紐式の携帯発電装置を提供することを課題とする。
【課題を解決するための手段】
【０００９】
上記課題を解決するために、本願の請求項１に記載された考案は、発電機構部１と駆動ユニット２とを備え、発電機構部１は、回転運動の入力により、電気エネルギーを出力できるものであり、駆動ユニット２は、駆動部３と従動部４とを備え、駆動部３は、引紐３１と、引紐３１を巻き付けることのできるドラム部３２と、ドラム部３２を、引紐３１を巻き付ける方向へと付勢する付勢手段３３と、引紐３１を引くことにより、ドラム部３２に発生した回転力を従動部４に伝達するための伝達手段３４とを備え、従動部４は、上記伝達手段３４による回転力を受けるための被伝達手段４１と、発電機構部１に接続された出力軸４２と、被伝達手段４１と出力軸４２との間で、一方向の回転力の伝達がなされ、逆方向の回転力の伝達がなされない、クラッチ手段４３とを備え、クラッチ手段４３は、片歯ギア４３ａと回転部材４３ｂとを備え、片歯ギア４３ａは、外周に、周方向の一方向側が急斜面４３ａ１とされ、逆方向側が緩斜面４３ａ２とされた歯が形成されたものであり、回転部材４３ｂは、可動爪４３ｃを備え、この可動爪４３ｃは、回転部材４３ｂに設けられた支持軸４３ｃ１を中心として回動可能とされたものであり、ばねの付勢により、先端部４３ｃ２が片歯ギア４３ａの外周に接触するものであって、上記片歯ギア４３ａの急斜面４３ａ１に、上記可動爪４３ｃの先端部４３ｃ２が当接した際にのみ、被伝達手段４１から回転部材４３ｂへの回転力の伝達がなされるものであり、被伝達手段４１は、片歯ギア４３ａあるいは回転部材４３ｂのいずれか一方と共に回動し、出力軸４２は、片歯ギア４３ａあるいは回転部材４３ｂのいずれか他方と共に回動するものであることを特徴とする、引紐式の携帯発電装置を提供する。
【００１０】
また、本願の請求項２に記載された考案は、上記の従動部４にフライホイールが設けられたことを特徴とする、請求項１に記載の引紐式の携帯発電装置を提供する。
【考案の効果】
【００１１】
本願考案は、可動爪４３ｃが、ばねの付勢により、先端部４３ｃ２が片歯ギア４３ａの外周に接触するものであって、片歯ギア４３ａの急斜面４３ａ１に、上記可動爪４３ｃの先端部４３ｃ２が当接した際にのみ、被伝達手段４１から回転部材４３ｂへの回転力の伝達がなされるものとされたクラッチ手段４３を備えたことにより、確実な回転力の伝達が可能であり、単純な機構でありながら、信頼性に優れた引紐式の携帯発電装置を提供することができたものである。
【考案を実施するための最良の形態】
【００１２】
以下、図面に基づき本願考案の一実施例をとりあげて説明する。図１は、本例の携帯発電装置の構造を示す図であり、図２は、本願考案に係る携帯発電装置の利用例の一つである懐中電灯を示す図である。
【００１３】
本願考案に係る携帯発電装置は、図１に示すように、発電機構部１と駆動ユニット２とを備えたものとされている。発電機構部１については、詳細は説明しないが、内部にコイルと永久磁石とが設けられたものであり、駆動ユニット２の連結軸の回転を受けて発電されるものである。つまり、駆動ユニット２からの回転運動の入力により、電気エネルギーを出力できるものである。
【００１４】
駆動ユニット２はケーシング２１内に収納されており、駆動部３と従動部４とを備えている。
【００１５】
駆動部３は、引紐３１と、引紐３１を巻き付けることのできるドラム部３２と、付勢手段としてのゼンマイばね３３と、伝達手段としての駆動側ギア３４とを備える。
【００１６】
本例では、円板状の駆動側ギア３４と円筒状のドラム部３２とが一体とされ、共に回動するものとされている。なお、これに限られず、ドラム部３２の回動と共に、駆動側ギア３４が回動する構造であれば、両者を別個に設けても良く、種々の形態をとり得る。このドラム部３２に、引紐３１における紐体３１ａの一端が固定されて巻き付けられる。図１（Ｂ）に示すように、この引紐３１を右方に引っ張り、ケーシング２１から引き出すようにすると、これに応じ、駆動側ギア３４が時計回りに回転し、従動部４に伝達するるための回転力を発生させることができる。本例では、紐体３１ａの他端には把手３１ｂが取り付けられ、引紐３１を容易に引き出すことができるようにされている。紐体３１ａとしては、ナイロン糸など、伸びにくくて耐磨耗性に優れた紐状体が用いられる。また、把手３１ｂとしては、金属製や樹脂製の棒状体（図１参照）やリング状体（図２参照）が用いられる。
【００１７】
また、駆動側ギア３４には付勢手段としてのゼンマイばね３３が設けられている。このゼンマイばね３３は駆動側ギア３４を、図１（Ｂ）に示す反時計回り方向へと付勢するものであって、上記のように、引紐３１の引き出しに伴い巻き締められ、付勢力が蓄えられる。このゼンマイばね３３の付勢により、引紐３１の引き出しが終了した後、あるいは引き出しが停止した後に、駆動側ギア３４が反時計回りに逆転する。これにより、引紐３１の紐体３１ａがドラム部３２に巻き付けられて当初の状態に戻る。つまり、引き出された引紐３１は自動的にケーシング２１内に戻される。
【００１８】
従動部４は、駆動側ギア３４の回転力を受けるための被伝達手段としての従動側ギア４１と、発電機構部１に接続された出力軸４２と、被伝達手段４１と出力軸４２との間で、一方向の回転力の伝達がなされ、逆方向の回転力の伝達がなされない、クラッチ手段４３とを備える。
【００１９】
従動側ギア４１は、駆動側ギア３４と噛み合うものである。この従動側ギア４１は、出力軸４２に対して直接接続されたものではなく、クラッチ手段４３が接続状態にある場合にのみ、出力軸４２に回転力が伝達されるものである。従動側ギア４１は、駆動側ギア３４よりも小径であり、駆動側ギア３４の回転に比べ、増速された回転力が出力軸４２を介して発電機構部１に伝達される。
【００２０】
クラッチ手段４３は、片歯ギア４３ａと回転部材４３ｂとを備えたものである。
【００２１】
片歯ギア４３ａは、従動側ギア４１と一体に形成されたものであって、図１（Ｂ）に示すように、外周に、周方向の一方向側が急斜面４３ａ１とされ、逆方向側が緩斜面４３ａ２とされた歯が形成されたものである。
【００２２】
回転部材４３ｂは、本例では、出力軸４２と共に回動するようにして設けられた板状体であり、可動爪４３ｃを備えたものである。可動爪４３ｃは、回動軸４３ｃ１を中心として所定範囲内を回動可能とされたものであって、ばね（図示しない）の付勢により、先端部４３ｃ２が片歯ギア４３ａの外周面に常時接触する。
【００２３】
従動側ギア４１が、図１（Ｂ）における反時計回りの回転をする場合、この可動爪４３ｃの先端部４３ｃ２が片歯ギア４３ａの急斜面４３ａ１と噛み合うことによって、出力軸４２に回転力が伝達される。逆に、従動側ギア４１が時計回りの回転をする場合には、可動爪４３ｃが緩斜面４３ａ２を滑るように移動し、空回りすることとなるため、出力軸４２に回転力が伝達されない。
【００２４】
なお、本例では、片歯ギア４３ａを従動側ギア４１と一体のものとしたが、逆に、回転部材４３ｂを従動側ギア４１と一体のものとしても良い。つまり、片歯ギア４３ａと回転部材４３ｂとの間で回転力の伝達及び切断がなされるものであれば、いずれを駆動側に設けても、従動側に設けても良い。
【００２５】
なお、上記に説明した構造では、引紐３１の紐体３１ａが巻き戻されている間は、出力軸４２が回転しないものとされているが、出力軸４２にフライホイールを設けても良い。このようにフライホイールを設けた場合は、紐体３１ａが巻き戻されている間にあっても出力軸４２を回転させ続けることができ、安定した発電が可能となる。
【００２６】
本願考案に係る引紐式の携帯発電装置は、例えば、図２に示すように、懐中電灯に組み込んで用いることができる。またその他、ラジオや携帯電話充電器、携帯サイレンなど、種々の用途での使用が可能である。また、蓄電池と組合わせることにより、発電した電気を貯蔵できるものとすることもできる。
【図面の簡単な説明】
【００２７】
【図１】本願考案に係る携帯発電装置の一実施例の構造を示す図であり、（Ａ）は側面視、（Ｂ）は平面視におけるものである。
【図２】本願考案に係る携帯発電装置の利用例の一つである、懐中電灯を示す図である。
【図３】従来の携帯発電装置の構造を示す図である。
【符号の説明】
【００２８】
１        発電機構部
２        駆動ユニット
３        駆動部
３１      引紐
３２      ドラム部
３３      付勢手段、ゼンマイばね
３４      伝達手段、駆動側ギア
４        従動部
４１      被伝達手段、従動側ギア
４２      出力軸
４３      クラッチ手段
４３ａ    片歯ギア
４３ａ１  急斜面（片歯ギアの歯）
４３ａ２  緩斜面（片歯ギアの歯）
４３ｂ    回転部材
４３ｃ    可動爪
４３ｃ１  支持軸
４３ｃ２  先端部
【図１】
0003118610.tif 000003
【図２】
0003118610.tif 000004
【図３】
0003118610.tif 000005